(57)【要約】【課題】照明装置や電力を供給する設備に対して、簡単な設備を付加することにより、照明装置の点灯状態を確認することができる照明システムを提供すること。【解決手段】ＬＥＤ照明器１１０と、道路照明装置１００の異常を検知する異常検知部１４０と、導通する電流を制限する限流器３３と、異常検知部１４０の出力側接点１４２の導通状態によって、道路照明装置１００の異常を監視する監視回路２０とを備え、監視回路２０に、限流器３３の上流側における調光線４３と共通線４２との電圧差に基づいて出力側接点３１ａをＯＮ／ＯＦＦ切り替える上流側リレー３１と、限流器３３の下流側における調光線４３と共通線４２との電圧差に基づいて出力側接点３２ａをＯＮ／ＯＦＦ切り替える下流側リレー３２とを備え、上流側リレー３１を無電圧時にＯＦＦ制御する構成とするとともに、下流側リレー３２を無電圧時にＯＮ制御する構成として直列配置した。【選択図】図３
2015095377.tif 000002
【特許請求の範囲】
【請求項１】
調光入力部に印加された調光電圧によって調光可能に点灯する照明装置と、
該照明装置に対して電力を供給する電源線及び共通線と、
前記調光入力部に接続され、前記調光入力部に調光電圧を印加する調光線とで構成する照明システムであって、
前記照明装置と、前記共通線及び前記調光線に接続され、前記照明装置の異常を検知して接点の導通状態を切り替える異常検知部と、
前記調光線において、導通する電流を制限する電流制限手段と、
該異常検知部の接点の導通状態によって、前記照明装置の異常を監視する監視回路とを備え、
前記監視回路に、
前記電流制限手段の上流側における前記調光線と前記共通線との電圧差に基づいて接点をＯＮ／ＯＦＦ切り替える上流側監視用ＯＮ／ＯＦＦ切替手段と、
前記電流制限手段の下流側における前記調光線と前記共通線との電圧差に基づいて接点をＯＮ／ＯＦＦ切り替える下流側監視用ＯＮ／ＯＦＦ切替手段とを備え、
前記上流側監視用ＯＮ／ＯＦＦ切替手段を無電圧時にＯＦＦ制御する構成とするとともに、前記下流側監視用ＯＮ／ＯＦＦ切替手段を無電圧時にＯＮ制御する構成として直列配置し、あるいは、前記上流側監視用ＯＮ／ＯＦＦ切替手段を無電圧時にＯＮ制御する構成とするとともに、前記下流側監視用ＯＮ／ＯＦＦ切替手段を無電圧時にＯＦＦ制御する構成として並列配置した
照明システム。
【請求項２】
前記上流側監視用ＯＮ／ＯＦＦ切替手段及び下流側監視用ＯＮ／ＯＦＦ切替手段のうち少なくとも一方を、
他方の前記ＯＮ／ＯＦＦ切替する切替タイミングに対して、ＯＦＦ／ＯＮ切替タイミングが時間差を有する時間差ＯＮ／ＯＦＦ切替手段で構成した
請求項１に記載の照明システム。
【請求項３】
前記調光入力部が作動せず、前記上流側監視用ＯＮ／ＯＦＦ切替手段及び前記下流側監視用ＯＮ／ＯＦＦ切替手段が作動する非調光低電圧を印加する非調光線を備えた
請求項１または２に記載の照明システム。
【請求項４】
前記電源線に、
前記照明装置に対して供給する電力から前記非調光低電圧を生成する非調光低電圧生成手段を備えた
請求項３に記載の照明システム。
【請求項５】
前記非調光線に、導通する電流を制限する非調光用電流制限手段を備えるとともに、
前記監視回路を、調光用監視回路とするとともに、非調光用監視回路を備え、
該非調光用監視回路に、
前記非調光用電流制限手段の上流側における前記非調光線と前記共通線との電圧差に基づいて接点をＯＮ／ＯＦＦ切り替える上流側非調光用ＯＮ／ＯＦＦ切替手段と、
前記非調光用電流制限手段の下流側における前記非調光線と前記共通線との電圧差に基づいて接点をＯＮ／ＯＦＦ切り替える下流側非調光用ＯＮ／ＯＦＦ切替手段とを備え、
前記上流側非調光用ＯＮ／ＯＦＦ切替手段を無電圧時にＯＦＦ制御する構成とするとともに、前記下流側非調光用ＯＮ／ＯＦＦ切替手段を無電圧時にＯＮ制御する構成として直列配置し、あるいは、前記上流側非調光用ＯＮ／ＯＦＦ切替手段を無電圧時にＯＮ制御する構成とするとともに、前記下流側非調光用ＯＮ／ＯＦＦ切替手段を無電圧時にＯＦＦ制御する構成として並列配置した
請求項１乃至４のうちいずれかに記載の照明システム。
【請求項６】
前記上流側非調光用ＯＮ／ＯＦＦ切替手段及び下流側非調光用ＯＮ／ＯＦＦ切替手段のうち少なくとも一方を、
他方の前記ＯＮ／ＯＦＦ切替する切替タイミングに対して、ＯＦＦ／ＯＮ切替タイミングが時間差を有する時間差ＯＮ／ＯＦＦ切替手段で構成した
請求項５に記載の照明システム。
【請求項７】
複数の前記照明装置を、前記電源線、前記共通線及び前記調光線に対して並列配置した
請求項１乃至６のうちいずれかに記載の照明システム。
【請求項８】
前記電源線、前記共通線及び前記調光線を、既に布設された既設線で構成した
請求項１乃至７のうちいずれかに記載の照明システム。
【請求項９】
前記照明装置を、ＬＥＤ照明装置で構成した
請求項１乃至８のうちいずれかに記載の照明システム。
【発明の詳細な説明】
【技術分野】
【０００１】
例えば、自動車専用道路などに設置された照明装置の点灯状態を確認することができる照明システムに関する。
【背景技術】
【０００２】
従来から、例えば、自動車専用道路やトンネルなどの公共交通施設や、ビルなどの屋内施設に配置された照明装置は、ＯＮ／ＯＦＦ制御や照度の制御を管理室などの別の場所で制御している場合が多く、このような場合、現地での目視により、故障や球切れ等の異常が照明装置に生じていることを確認しなければならなかった。
【０００３】
特に、自動車専用道路やトンネルなどの公共交通施設に配置された街灯などの照明装置は広範囲にわたって設置されているため、街灯が配置された範囲を移動して確認する必要があり、その点検のために多くの労力を要していた。
【０００４】
たとえば、特許文献１に記載の制御システムでは、親機と、通信線と、点消灯制御端末とを備えており、親機と点消灯制御端末とを、通信線を介して、通信して、照明装置の異常を検知することができるとされている。
【０００５】
このシステムであれば、複数個所に設置した灯火（照明装置）の点灯状態を管理室などの別の場所から監視できるものの、親機と点消灯制御端末とを通信する通信線を布設する必要があり、設置コストが膨大化するおそれがあった。
【先行技術文献】
【特許文献】
【０００６】
【特許文献１】特開２０００−１６４３７２号公報
【発明の概要】
【発明が解決しようとする課題】
【０００７】
そこで、この発明は、照明装置や電力を供給する設備に対して、簡単な設備を付加することにより、照明装置の点灯状態を確認することができる照明システムを提供することを目的とする。
【課題を解決するための手段】
【０００８】
この発明は、調光入力部に印加された調光電圧によって調光可能に点灯する照明装置と、該照明装置に対して電力を供給する電源線及び共通線と、前記調光入力部に接続され、前記調光入力部に調光電圧を印加する調光線とで構成する照明システムであって、前記照明装置と、前記共通線及び前記調光線に接続され、前記照明装置の異常を検知して接点の導通状態を切り替える異常検知部と、前記調光線において、導通する電流を制限する電流制限手段と、該異常検知部の接点の導通状態によって、前記照明装置の異常を監視する監視回路とを備え、前記監視回路に、前記電流制限手段の上流側における前記調光線と前記共通線との電圧差に基づいて接点をＯＮ／ＯＦＦ切り替える上流側監視用ＯＮ／ＯＦＦ切替手段と、前記電流制限手段の下流側における前記調光線と前記共通線との電圧差に基づいて接点をＯＮ／ＯＦＦ切り替える下流側監視用ＯＮ／ＯＦＦ切替手段とを備え、前記上流側監視用ＯＮ／ＯＦＦ切替手段を無電圧時にＯＦＦ制御する構成とするとともに、前記下流側監視用ＯＮ／ＯＦＦ切替手段を無電圧時にＯＮ制御する構成として直列配置し、あるいは、前記上流側監視用ＯＮ／ＯＦＦ切替手段を無電圧時にＯＮ制御する構成とするとともに、前記下流側監視用ＯＮ／ＯＦＦ切替手段を無電圧時にＯＦＦ制御する構成として並列配置したことを特徴とする。
【０００９】
上述の「調光入力部に印加された調光電圧によって調光可能に点灯する照明装置」は、ＬＥＤ照明、ナトリウム灯、水銀灯、蛍光灯などで構成する道路照明灯やトンネル内照明、街路灯などの室外に設置された街灯、あるいは、白熱電球、蛍光灯、ＬＥＤ照明などで構成し、ビルや倉庫などの室内に設置された室内照明などとすることができ、また、前記調光入力部を内蔵した照明装置あるいは調光入力部を接続した照明装置とすることができる。
【００１０】
上述の「照明装置に対して電力を供給する電源線及び共通線」は、接地方式に応じて、照明装置に対して電力を供給するために少なくとも一方に電圧を印加する電源線及び共通線とすることができる。  
また、該照明装置に対して電力を供給する電源線及び共通線と、調光電圧を印加する調光線とにより、例えば、３心ケーブルを構成している。
【００１１】
なお、電源線及び共通線の接地方式に応じて照明装置に対して電力を安全に供給するために、電源線及び共通線の少なくとも一方にスイッチを設けてもよく、さらに、調光電圧を印加する調光線にもスイッチを設けてもよい。
【００１２】
上述の「照明装置の異常」は、照明装置自体、照明装置に備えた電源装置、装置内配線等の故障などによって点灯制御状態において消灯状態となるなど、制御状態に沿わない状態となることや、電源装置２次側の電圧や電流が規定範囲から外れた状態などとすることができる。また、一定の閾値を下回る照度低下を照明装置の異常としてもよい。
【００１３】
上述の「電流制限手段」は、例えば、リアクトルや定電流回路などで構成することができる。  
上述の「監視用ＯＮ／ＯＦＦ切替手段（上流側監視用ＯＮ／ＯＦＦ切替手段，下流側監視用ＯＮ／ＯＦＦ切替手段）」は、例えば、リレーやシーケンサにおける接点で構成する出力部分とすることができる。
【００１４】
上述の「監視回路」は、異常検知部による照明装置の異常検知時に上流側監視用ＯＮ／ＯＦＦ切替手段，下流側監視用ＯＮ／ＯＦＦ切替手段がともにＯＮ制御され、閉回路を構成することによって、照明装置の異常を監視する構成、あるいは、正常時に上流側監視用ＯＮ／ＯＦＦ切替手段及び下流側監視用ＯＮ／ＯＦＦ切替手段のいずれかがＯＮ制御することで監視回路が閉回路を構成しており、異常検知部による照明装置の異常検知によって、上流側監視用ＯＮ／ＯＦＦ切替手段及び下流側監視用ＯＮ／ＯＦＦ切替手段がともにＯＦＦ制御されることで照明装置の異常を監視する構成とすることができ、すなわち、上流側監視用ＯＮ／ＯＦＦ切替手段及び下流側監視用ＯＮ／ＯＦＦ切替手段による論理積回路（ａｎｄ回路）とすることができる。
【００１５】
この発明により、照明装置や電力を供給する設備に対して、簡単な設備を付加することにより、照明装置の点灯状態を確認することができる。  
詳述すると、調光入力部に印加された調光電圧によって調光可能に点灯する照明装置と、該照明装置に対して電力を供給する電源線及び共通線と、前記調光入力部に接続され、前記調光入力部に調光電圧を印加する調光線とで構成する照明システムであるため、調光可能に照明装置を点灯させることができる。
【００１６】
また、前記照明装置と、前記共通線及び前記調光線に接続され、前記照明装置の異常を検知して接点の導通状態を切り替える異常検知部と、前記調光線において、導通する電流を制限する電流制限手段と、該異常検知部の接点の導通状態によって、前記照明装置の異常を監視する監視回路とを備え、前記監視回路に、前記電流制限手段の上流側における前記調光線と前記共通線との電圧差に基づいて接点をＯＮ／ＯＦＦ切り替える上流側監視用ＯＮ／ＯＦＦ切替手段と、前記電流制限手段の下流側における前記調光線と前記共通線との電圧差に基づいて接点をＯＮ／ＯＦＦ切り替える下流側監視用ＯＮ／ＯＦＦ切替手段とを備え、前記上流側監視用ＯＮ／ＯＦＦ切替手段を無電圧時にＯＦＦ制御する構成とするとともに、前記下流側監視用ＯＮ／ＯＦＦ切替手段を無電圧時にＯＮ制御する構成として直列配置し、あるいは、前記上流側監視用ＯＮ／ＯＦＦ切替手段を無電圧時にＯＮ制御する構成とするとともに、前記下流側監視用ＯＮ／ＯＦＦ切替手段を無電圧時にＯＦＦ制御する構成として並列配置したことにより、異常検知部が異常を検知することで、監視用ＯＮ／ＯＦＦ切替手段（上流側監視用ＯＮ／ＯＦＦ切替手段，下流側監視用ＯＮ／ＯＦＦ切替手段）が機能して、照明装置の異常を監視回路で確認することができる。
【００１７】
さらに詳述すると、調光線と調光入力部と共通線で構成する調光回路において、調光電圧が印加され、異常検知部が異常を検知しない正常時には、前記電流制限手段の上流側に配置した上流側監視用ＯＮ／ＯＦＦ切替手段と、前記電流制限手段の下流側に配置した下流側監視用ＯＮ／ＯＦＦ切替手段と、前記調光入力部のそれぞれに導通される。したがって、無電圧時にＯＦＦ制御（ＯＮ制御）する前記上流側監視用ＯＮ／ＯＦＦ切替手段はＯＮ制御（ＯＦＦ制御）され、無電圧時にＯＮ制御（ＯＦＦ制御）する前記下流側監視用ＯＮ／ＯＦＦ切替手段はＯＦＦ制御（ＯＮ制御）されるため、監視回路は開放される（閉回路を構成する）。
【００１８】
なお、上流側監視用ＯＮ／ＯＦＦ切替手段と下流側監視用ＯＮ／ＯＦＦ切替手段とを直列配置した場合と並列配置した場合とで、監視用ＯＮ／ＯＦＦ切替手段のＯＮ制御／ＯＦＦ制御は異なり、上述の記載や以下の記載において、直列した場合について主として説明し、並列配置した場合を括弧書きして示している。
【００１９】
これに対し、異常検知部が異常を検知すると、異常検知部は接点を切り替えるため、例えば、調光線と共通線が短絡され、調光線に印加された調光電圧は、前記電流制限手段の上流側に配置した上流側監視用ＯＮ／ＯＦＦ切替手段及び異常検知部にのみ導通され、前記電流制限手段の下流側に配置した下流側監視用ＯＮ／ＯＦＦ切替手段と、各照明装置の調光入力部とには導通しなくなる。
【００２０】
したがって、無電圧時にＯＦＦ制御（ＯＮ制御）する前記上流側監視用ＯＮ／ＯＦＦ切替手段はＯＮ制御（ＯＦＦ制御）され、無電圧時にＯＮ制御（ＯＦＦ制御）する前記下流側監視用ＯＮ／ＯＦＦ切替手段は非導通であるため、ＯＮ制御（ＯＦＦ制御）が継続し、監視回路は閉回路となる（監視回路は開放される）。  
そのため、閉回路となった監視回路が構成される（監視回路が開放される）ことにより、照明装置に異常が生じたことを確認することができる。
【００２１】
この発明の態様として、前記上流側監視用ＯＮ／ＯＦＦ切替手段及び下流側監視用ＯＮ／ＯＦＦ切替手段のうち少なくとも一方を、他方の前記ＯＮ／ＯＦＦ切替する切替タイミングに対して、ＯＦＦ／ＯＮ切替タイミングが時間差を有する時間差ＯＮ／ＯＦＦ切替手段で構成することができる。
【００２２】
上述の「他方の前記ＯＮ／ＯＦＦ切替する切替タイミングに対して、ＯＦＦ／ＯＮ切替タイミングが時間差を有する時間差ＯＮ／ＯＦＦ切替手段」は、他方のＯＮ制御状態（ＯＦＦ制御状態）からＯＦＦ切替（ＯＮ切替）する切替タイミングより、ＯＦＦ制御状態（ＯＮ制御状態）からＯＮ切替（ＯＦＦ切替）する切替タイミングが遅くなる、あるいは、他方のＯＦＦ制御状態（ＯＮ制御状態）からＯＮ切替（ＯＦＦ切替）する切替タイミングより、ＯＮ制御状態（ＯＦＦ制御状態）からＯＦＦ切替（ＯＮ切替）する切替タイミングが早くなるようにＯＮ／ＯＦＦ（ＯＦＦ／ＯＮ）切替タイミングが時間差を有するＯＮ／ＯＦＦ切替手段であることを意味している。
【００２３】
さらに、上述の「時間差ＯＮ／ＯＦＦ切替手段」は、通常のＯＮ／ＯＦＦ切替手段におけるＯＮ制御状態（ＯＦＦ制御状態）からＯＦＦ切替（ＯＮ切替）する切替タイミングより、ＯＦＦ制御状態（ＯＮ制御状態）からＯＮ切替（ＯＦＦ切替）する切替タイミングを遅らせた遅延型ＯＮ／ＯＦＦ切替手段や、通常のＯＮ／ＯＦＦ切替手段におけるＯＦＦ制御状態（ＯＮ制御状態）からＯＮ切替（ＯＦＦ切替）する切替タイミングより、ＯＮ制御状態（ＯＦＦ制御状態）からＯＦＦ切替（ＯＮ切替）する切替タイミングを早めた促進型ＯＮ／ＯＦＦ切替手段、あるいは通常のＯＮ／ＯＦＦ切替手段におけるＯＦＦ切替（ＯＮ切替）する切替タイミングより、ＯＮ切替（ＯＦＦ切替）する切替タイミングを遅らせるとともに、通常のＯＮ／ＯＦＦ切替手段におけるＯＮ切替（ＯＦＦ切替）する切替タイミングより、ＯＦＦ切替（ＯＮ切替）する切替タイミングを早めた遅延促進型ＯＮ／ＯＦＦ切替手段とすることができる。
【００２４】
具体的には、前記上流側監視用ＯＮ／ＯＦＦ切替手段及び下流側監視用ＯＮ／ＯＦＦ切替手段の両方を遅延型ＯＮ／ＯＦＦ切替手段や促進型ＯＮ／ＯＦＦ切替手段で構成する場合、あるいは、前記上流側監視用ＯＮ／ＯＦＦ切替手段及び下流側監視用ＯＮ／ＯＦＦ切替手段のいずれか一方を遅延促進型ＯＮ／ＯＦＦ切替手段で構成する場合などとすることができる。
【００２５】
なお、遅延型ＯＮ／ＯＦＦ切替手段、促進型ＯＮ／ＯＦＦ切替手段あるいは遅延促進型ＯＮ／ＯＦＦ切替手段は、リレーやシーケンサにおける接点や抵抗・コンデンサ・トランジスタ・集積回路等を用いた電子回路などで構成してもよい。
【００２６】
この発明により、例えば、チャタリングや、監視用ＯＮ／ＯＦＦ切替手段の切替タイミングのばらつきにより、監視回路が不用意に閉回路となる（開放される）ことによる異常の誤認を防止することができる。
【００２７】
詳述すると、照明装置の電源投入時において、正常時には無電圧時にＯＦＦ制御（ＯＮ制御）する前記上流側監視用ＯＮ／ＯＦＦ切替手段はＯＮ制御（ＯＦＦ制御）され、無電圧時にＯＮ制御（ＯＦＦ制御）する前記下流側監視用ＯＮ／ＯＦＦ切替手段はＯＦＦ制御（ＯＮ制御）されるが、ＯＮ／ＯＦＦ切替手段の切替タイミングがばらつくことにより、下流側監視用ＯＮ／ＯＦＦ切替手段がＯＦＦ制御（ＯＮ制御）される前に、上流側監視用ＯＮ／ＯＦＦ切替手段はＯＮ制御（ＯＦＦ制御）されると、監視回路は閉回路となり（監視回路は開放され）、異常が発生した状態と同様の状態となり、異常の誤認となる。
【００２８】
逆に、点灯状態の照明装置を消灯させる場合、無電圧時にＯＦＦ制御（ＯＮ制御）する前記上流側監視用ＯＮ／ＯＦＦ切替手段はＯＦＦ制御（ＯＮ制御）され、無電圧時にＯＮ制御（ＯＦＦ制御）する前記下流側監視用ＯＮ／ＯＦＦ切替手段はＯＮ制御（ＯＦＦ制御）されるが、上流側監視用ＯＮ／ＯＦＦ切替手段がＯＦＦ制御（ＯＮ制御）される前に、下流側監視用ＯＮ／ＯＦＦ切替手段はＯＮ制御（ＯＦＦ制御）されると、監視回路は閉回路となり（監視回路は開放され）、電源投入時と同様に、異常が発生した状態と同様の状態となり、異常の誤認となる。
【００２９】
さらには、監視用ＯＮ／ＯＦＦ切替手段が作動する際に、ＯＮとＯＦＦの切替を繰り返す不安定な状態が生じる、いわゆるチャタリングが起こるおそれがあるが、上流側監視用ＯＮ／ＯＦＦ切替手段及び下流側監視用ＯＮ／ＯＦＦ切替手段の切替制御時にチャタリングが生じると、上流側監視用ＯＮ／ＯＦＦ切替手段及び下流側監視用ＯＮ／ＯＦＦ切替手段の両方が意図せず、ＯＮ制御（ＯＦＦ制御）となる可能性があり、その場合、監視回路は閉回路となり（監視回路は開放され）、電源投入時と同様に、異常が発生した状態と同様の状態となり、異常の誤認となる。
【００３０】
そこで、前記上流側監視用ＯＮ／ＯＦＦ切替手段及び下流側監視用ＯＮ／ＯＦＦ切替手段のうち少なくとも一方を、時間差ＯＮ／ＯＦＦ切替手段で構成することにより、他方の監視用ＯＮ／ＯＦＦ切替手段がＯＦＦ切替（ＯＮ制御）する前に、一方の監視用ＯＮ／ＯＦＦ切替手段がＯＮ切替（ＯＦＦ制御）されることなく、他方の監視用ＯＮ／ＯＦＦ切替手段がＯＮ制御（ＯＦＦ制御）からＯＦＦ制御（ＯＮ制御）に切り替えられてから、一方の監視用ＯＮ／ＯＦＦ切替手段がＯＦＦ制御（ＯＮ制御）からＯＮ制御（ＯＦＦ制御）に切り替えられるため、上述したように、監視用ＯＮ／ＯＦＦ切替手段の両方が意図せず、ともにＯＮ制御（ＯＦＦ制御）となることによる異常の誤認を防止できる。あるいは、監視回路が閉回路となり（監視回路が開放され）、一定時間その状態が継続したことをもって異常として判定するようにしてもよい。
【００３１】
またこの発明の態様として、前記調光入力部が作動せず、前記上流側監視用ＯＮ／ＯＦＦ切替手段及び前記下流側監視用ＯＮ／ＯＦＦ切替手段が作動する非調光低電圧を印加する非調光線を備えることができる。
【００３２】
この発明により、全点灯状態であっても、つまり、調光線に調光電圧が印加されない状態であっても、監視回路によって、照明装置の異常を監視することができる。  
詳述すると、全点灯状態とする場合は、調光線に調光電圧が印加されていない、つまり調光線が無電圧の状態であることから、監視用ＯＮ／ＯＦＦ切替手段はともに作動せず、照明装置の異常を監視できないが、前記調光入力部が作動せず、前記上流側監視用ＯＮ／ＯＦＦ切替手段及び前記下流側監視用ＯＮ／ＯＦＦ切替手段が作動する非調光低電圧を印加する非調光線を備えることにより、調光されない全点灯状態であっても、前記監視用ＯＮ／ＯＦＦ切替手段が作動して、監視回路によって照明装置の異常を監視することができる。  
なお、上述の「全点灯状態」は、調光電圧によって、調光されていない点灯状態であり、フル点灯状態ともいう。
【００３３】
またこの発明の態様として、前記電源線に、前記照明装置に対して供給する電力から前記非調光低電圧を生成する非調光低電圧生成手段を備えることができる。  
この発明により、調光されない全点灯状態において、前記調光入力部が作動せず、異常時には、前記監視用ＯＮ／ＯＦＦ切替手段が作動して、監視回路によって照明装置の異常を監視することができる非調光低電圧を、別の電源供給設備を設けることなく、供給することができる。
【００３４】
またこの発明の態様として、前記非調光線に、導通する電流を制限する非調光用電流制限手段を備えるとともに、前記監視回路を、調光用監視回路とするとともに、非調光用監視回路を備え、該非調光用監視回路に、前記非調光用電流制限手段の上流側における前記非調光線と前記共通線との電圧差に基づいて接点をＯＮ／ＯＦＦ切り替える上流側非調光用ＯＮ／ＯＦＦ切替手段と、前記非調光用電流制限手段の下流側における前記非調光線と前記共通線との電圧差に基づいて接点をＯＮ／ＯＦＦ切り替える下流側非調光用ＯＮ／ＯＦＦ切替手段とを備え、前記上流側非調光用ＯＮ／ＯＦＦ切替手段を無電圧時にＯＦＦ制御する構成とするとともに、前記下流側非調光用ＯＮ／ＯＦＦ切替手段を無電圧時にＯＮ制御する構成として直列配置し、あるいは、前記上流側非調光用ＯＮ／ＯＦＦ切替手段を無電圧時にＯＮ制御する構成とするとともに、前記下流側非調光用ＯＮ／ＯＦＦ切替手段を無電圧時にＯＦＦ制御する構成として並列配置することができる。
【００３５】
上述の「非調光用ＯＮ／ＯＦＦ切替手段（上流側非調光用ＯＮ／ＯＦＦ切替手段，下流側非調光用ＯＮ／ＯＦＦ切替手段）」は、監視用ＯＮ／ＯＦＦ切替手段と同様に、例えば、リレーやシーケンサにおける接点で構成する出力部分とすることができる。
【００３６】
この発明により、動作電圧の異なるＯＮ／ＯＦＦ切替手段を用いて、監視用ＯＮ／ＯＦＦ切替手段及び非調光用ＯＮ／ＯＦＦ切替手段を構成することができる。  
詳述すると、前記調光入力部が作動する調光電圧と、前記調光入力部が作動しない非調光低電圧とは電圧差が大きいため、動作電圧の範囲が狭い一般的なＯＮ／ＯＦＦ切替手段では対応できず、例えば、動作電圧の広い範囲に対応した専用設計されたＯＮ／ＯＦＦ切替手段を用いる必要があるが、監視用ＯＮ／ＯＦＦ切替手段と非調光用ＯＮ／ＯＦＦ切替手段とをそれぞれ設けたことにより、動作電圧の範囲が狭いが、汎用性の高い一般的なＯＮ／ＯＦＦ切替手段を用いることができる。
【００３７】
またこの発明の態様として、前記上流側非調光用ＯＮ／ＯＦＦ切替手段及び下流側非調光用ＯＮ／ＯＦＦ切替手段のうち少なくとも一方を、他方の前記ＯＮ／ＯＦＦ切替する切替タイミングに対して、ＯＦＦ／ＯＮ切替タイミングが時間差を有する時間差ＯＮ／ＯＦＦ切替手段で構成することができる。
【００３８】
この発明により、例えば、チャタリングや、ＯＮ／ＯＦＦ切替手段の切替タイミングのばらつきにより、非調光用監視回路が不用意に閉回路となる（開放される）ことによる異常の誤認を防止することができる。
【００３９】
またこの発明の態様として、複数の前記照明装置を、前記電源線、前記共通線及び前記調光線に対して並列配置することができる。  
この発明により、複数の照明装置のいずれかに異常が生じた場合であっても、ひとつの監視回路によって、いずれかの照明装置に異常が発生したことを検出することができる。
【００４０】
さらに、上述したように、調光状態において異常が発生した場合、調光回路では、前記電流制限手段の上流側に配置した上流側監視用ＯＮ／ＯＦＦ切替手段と異常検知部とにのみ導通され、前記電流制限手段の下流側に配置した下流側監視用ＯＮ／ＯＦＦ切替手段と各照明装置とには導通しなくなる。
【００４１】
つまり、調光線に調光電圧が印加されているにもかかわらず、調光入力部に調光電圧が印加しなくなった照明装置は、電源線及び共通線によって供給された電力によって全点灯状態となり、異常が発生した照明装置が点灯できないことによる照度の低下を、全点灯状態で点灯する他の照明装置による照明によって補うことができる。
【００４２】
またこの発明の態様として、前記電源線、前記共通線及び前記調光線を、既に布設された既設線で構成することができる。  
この発明により、すでに布設された既設線である前記電源線、前記共通線、及び前記調光線を利用することで、照明装置の異常を監視するために照明装置から管理室などの別の場所まで新たな線を布設する場合に比べて、設備設置に要するコスト並びに工期を大幅に低減することができる。
【００４３】
またこの発明の態様として、前記照明装置を、ＬＥＤ照明装置で構成することができる。  
この発明により、例えば、水銀灯やナトリウム灯に比べて圧倒的に寿命の長い、つまり、例えば、球切れによるランプ交換が不要であるという理由によって監視頻度が低いＬＥＤ照明装置であっても、監視回路を用いて、例えば落雷による電源装置の故障等、偶発的な要因による異常の発生を監視し、現地での目視による点灯状態の確認を不要とすることにより、寿命の長いＬＥＤ照明装置の特長である保守省力化の効果を最大限に得ることができる。
【発明の効果】
【００４４】
この発明によれば、照明装置や電力を供給する設備に対して、簡単な設備を付加することにより、照明装置の点灯状態を確認することができる照明システムを提供することができる。
【図面の簡単な説明】
【００４５】
【図１】道路照明を備えた道路施設についての概略斜視図。
【図２】調光状態における正常作動時の照明システムの概略図。
【図３】調光状態における異常発生時の照明システムの概略図。
【図４】調光回路についての説明図。
【図５】照明システムに用いる遅延動作型リレーについての説明図。
【図６】別の実施形態における全点灯状態における異常発生時の照明システムの概略図。
【図７】別の実施形態における照明システムの概略図。
【図８】別の実施形態における照明システムの概略図。
【図９】別の実施形態における照明システムの概略図。
【図１０】別の実施形態における照明システムの概略図。
【図１１】別の実施形態における照明システムの概略図。
【図１２】別の実施形態における照明システムにおける監視回路の出力側接点の作動についての説明図。
【発明を実施するための形態】
【００４６】
この発明の一実施形態を以下図面とともに説明する。  
なお、図１は道路照明装置１００を備えた道路施設２００についての概略斜視図を示し、図２は調光状態における正常作動時の照明システム１の概略図を示し、図３は調光状態における異常発生時の照明システム１の概略図を示し、図４は調光回路についての説明図を示している。
【００４７】
本発明の照明システム１は、例えば、図１に示すような道路施設２００に設置した道路照明装置１００の照明状態を制御するシステムである。なお、図１では、片側２車線の自動車専用道路である道路施設２００の両側にそれぞれ、等間隔に複数の道路照明装置１００を備えているが、例えば、上り線と下り線との間の中央分離帯２１０に、上り線と下り線の両側を照明する道路照明装置１００を備えてもよい。
【００４８】
このように、複数の道路照明装置１００を照明制御する照明システム１は、道路施設２００の両側に配置された複数の道路照明装置１００と、配電設備１０Ａの側に配置された配電設備側装置１０と、道路照明装置１００及び配電設備側装置１０を結ぶ各種配電線４０（４１，４２，４３）とで構成している。
【００４９】
配電線４０は、図示省略する照明電源や調光電源に接続され、道路照明装置１００を照明させる電力である照明電力を道路照明装置１００に供給する電源線４１及び共通線４２と、調光電圧を印加する調光線４３とで構成し、配電線４０の一端は道路照明装置１００に接続され、他端は配電設備側装置１０において、図示省略するキュービクルなどの電力供給装置に接続されている。
【００５０】
また、配電設備側装置１０において、電源線４１に電源スイッチ４１ａを備え、共通線４２に共通線用スイッチ４２ａを備え、電磁接触器で構成する調光用スイッチ４３ａを調光線４３に備えている。
【００５１】
道路照明装置１００は、ＬＥＤ照明器１１０と、照明電源制御部１２０と、調光入力部１３０と、異常検知部１４０とで構成している。  
照明電源制御部１２０は、電源線４１と共通線４２の両方に接続され、電源線４１及び共通線４２から照明電力の供給を受けるとともに、ＬＥＤ照明器１１０に照明電力を供給してＬＥＤ照明器１１０から発光させる構成である。また、照明電源制御部１２０は、調光電圧が印加された調光入力部１３０からの調光信号によって、ＬＥＤ照明器１１０に供給する電力を調整する構成である。
【００５２】
ＬＥＤ照明器１１０は、支柱１０１の上部に設けられ、支柱１０１の内部に配置された装置内配線１０１ａに接続され、供給された電力によって内部に配置したＬＥＤ素子が発光して投光する構成である。  
調光入力部１３０は、共通線４２と調光線４３、並びに照明電源制御部１２０に接続され、調光線４３に調光電圧が印加されると、ＬＥＤ照明器１１０に供給する電力を調整する調整信号を照明電源制御部１２０に送信する構成である。
【００５３】
異常検知部１４０は、照明電源制御部１２０に接続され、道路照明装置１００の異常を検出する検出部本体１４１と、共通線４２及び調光線４３に接続され、検出部本体１４１の検出状態において接点が切り替わる出力側接点１４２とを有し、検出部本体１４１の異常検出によって、共通線４２と調光線４３とが導通する、つまり短絡するように出力側接点１４２を切り替える構成である。
【００５４】
なお、道路照明装置１００の異常、特に、ＬＥＤ照明器１１０の異常は、ＬＥＤ照明器１１０自体、ＬＥＤ照明器１１０に備えた調光入力部１３０や、装置内配線１０１ａ等の故障などによって点灯制御状態において消灯状態となるなど、制御状態に沿わない状態となることや、照明電源制御部１２０の電圧や電流が規定範囲から外れた状態などであるが、一定の閾値を下回る照度低下も異常としてもよい。
【００５５】
配電設備側装置１０は、上位の制御装置に接続された監視回路２０と、共通線４２、調光線４３及び監視回路２０に接続される監視ユニット３０とで構成している。  
監視ユニット３０は、入力側が共通線４２と調光線４３とに接続され、出力側接点３１ａが監視回路２０に組み込まれた上流側リレー３１と、出力側接点３２ａが監視回路２０に組み込まれた下流側リレー３２と、調光線４３において、上流側リレー３１と下流側リレー３２との間に配置された限流器３３とで構成している。
【００５６】
なお、限流器３３より上流側に配置された上流側リレー３１は、電圧が加わること、つまり有電圧状態で出力側接点３１ａがＯＮ切替するａ接点リレーで構成し、限流器３３より下流側に配置された下流側リレー３２は、電圧が加わること、つまり有電圧状態で出力側接点３２ａがＯＦＦ切替するｂ接点リレーで構成している。
【００５７】
調光線４３において、上流側リレー３１と下流側リレー３２との間に配置される限流器３３は、調光線４３に導通する電流を制限するリアクトルで構成しているが、定電流回路などで構成してもよい。
【００５８】
このように構成した照明システム１では、道路照明装置１００に異常が発生していない場合、つまり正常状態では、異常検知部１４０の出力側接点１４２がＯＦＦ制御され開放されている。この正常状態の照明システム１では、電源スイッチ４１ａ及び共通線用スイッチ４２ａをＯＮ切替して、電源線４１及び共通線４２に道路照明装置１００を照明するための照明電力を供給するとともに、調光用スイッチ４３ａをＯＮ切替して、調光線４３に調光電圧を印加することで、照明電力は電源線４１、共通線４２を介して照明電源制御部１２０に供給され、さらに、調光電圧は、調光線４３に設けた限流器３３を介して、調光入力部１３０に印加する。
【００５９】
そして、調光電圧が印加した調光入力部１３０は作動し、調光入力部１３０の作動によって、照明電源制御部１２０は、供給された照明電力を調光用に調整してＬＥＤ照明器１１０に供給して、道路照明装置１００は、ＬＥＤ照明器１１０から調光された明かりＬを投光することができる。
【００６０】
このとき、図２及び図４（ａ）に示すように、上流側リレー３１及び下流側リレー３２は有電圧となるため、ａ接点で構成する上流側リレー３１の出力側接点３１ａはＯＮ制御され、ｂ接点で構成する下流側リレー３２の出力側接点３２ａはＯＦＦ制御され、監視回路２０は開放されるため、監視回路２０に接続された上位の制御装置は、照明システム１が正常に作動していることを確認することができる。
【００６１】
逆に、図３に示すように、複数の道路照明装置１００のうちいずれかに異常が生じていると、異常が発生した道路照明装置１００の異常検知部１４０の出力側接点１４２がＯＮ制御され、出力側接点１４２を介して、共通線４２と調光線４３とが短絡状態となる。この異常状態の照明システム１では、電源スイッチ４１ａ及び共通線用スイッチ４２ａをＯＮ切替して、電源線４１及び共通線４２に照明電力を供給するとともに、調光用スイッチ４３ａをＯＮ切替して、調光線４３に調光電圧を印加しても、図４（ｂ）に示すように、異常が生じた道路照明装置１００の異常検知部１４０の出力側接点１４２がＯＮ切替され、短絡状態であるため、限流器３３より下流に配置された下流側リレー３２には調光電圧は印加されない。そのため、上流側リレー３１は有電圧となるため、ａ接点で構成する上流側リレー３１の出力側接点３１ａはＯＮ制御され、逆に、下流側リレー３２は無電圧であるため、ｂ接点で構成する下流側リレー３２の出力側接点３２ａはＯＮ制御され、監視回路２０は閉回路を構成し、監視回路２０に接続された上位の制御装置は、照明システム１が異常であることを確認することができる。
【００６２】
このとき、調光線４３を介して印加された調光電圧は、図４（ｂ）に示すように、異常が生じた道路照明装置１００の異常検知部１４０の出力側接点１４２のＯＮ切替によって、異常の生じていない道路照明装置１００の調光入力部１３０には印加しないため、図３に示すように、電源線４１及び共通線４２に供給された照明電力によって、全点灯状態、つまり調光されていないフル点灯状態（Lf）で投光する。
【００６３】
このように、照明システム１は、調光入力部１３０に印加された調光電圧によって調光可能に点灯するＬＥＤ照明器１１０と、ＬＥＤ照明器１１０に対して電力を供給する電源線４１及び共通線４２と、調光入力部１３０に接続され、調光入力部１３０に調光電圧を印加する調光線４３とで構成するとともに、ＬＥＤ照明器１１０と、共通線４２及び調光線４３に接続され、ＬＥＤ照明器１１０の異常を検知して出力側接点１４２の導通状態を切り替える異常検知部１４０と、調光線４３において、導通する電流を制限する限流器３３と、異常検知部１４０の出力側接点１４２の導通状態によって、ＬＥＤ照明器１１０の異常を監視する監視回路２０とを備え、監視回路２０に、限流器３３の上流側における調光線４３と共通線４２との電圧差に基づいて接点をＯＮ／ＯＦＦ切り替える上流側リレー３１の出力側接点３１ａと、限流器３３の下流側における調光線４３と共通線４２との電圧差に基づいて接点をＯＮ／ＯＦＦ切り替える下流側リレー３２の出力側接点３２ａとを組み込み、上流側リレー３１を無電圧時にＯＦＦ制御するa接点で構成とするとともに、下流側リレー３２を無電圧時にＯＮ制御するｂ接点で構成して直列配置したことにより、道路照明装置１００、配電設備１０Ａあるいは配電線４０に対して、簡単な設備を付加することにより、ＬＥＤ照明器１１０の点灯状態を確認することができる。
【００６４】
詳述すると、調光入力部１３０に印加された調光電圧によって調光可能に点灯するＬＥＤ照明器１１０と、ＬＥＤ照明器１１０に対して電力を供給する電源線４１及び共通線４２と、調光入力部１３０に接続され、調光入力部１３０に調光電圧を印加する調光線４３とで構成する照明システム１は、調光可能にＬＥＤ照明器１１０を点灯させることができる。
【００６５】
また、異常検知部１４０が異常を検知することで、上流側リレー３１の出力側接点３１ａ，下流側リレー３２の出力側接点３２ａが作動して、ＬＥＤ照明器１１０の異常を監視回路２０で確認することができる。
【００６６】
さらに詳述すると、調光線４３と調光入力部１３０と共通線４２で構成する調光回路において、調光電圧が印加され、異常検知部１４０が異常を検知しない正常時には、限流器３３の上流側に配置した上流側リレー３１と、限流器３３の下流側に配置した下流側リレー３２と、調光入力部１３０のそれぞれに印加される。したがって、無電圧時にＯＦＦ制御する上流側リレー３１はＯＮ制御され、無電圧時にＯＮ制御する下流側リレー３２はＯＦＦ制御されて、監視回路２０は開放される。
【００６７】
これに対し、異常検知部１４０が異常を検知すると、異常検知部１４０の出力側接点１４２は切り替わり、調光線４３と共通線４２が短絡され、調光線４３に印加された調光電圧は、限流器３３の上流側に配置した上流側リレー３１と、異常検知部１４０とにのみ印加され、限流器３３の下流側に配置した下流側リレー３２と、各ＬＥＤ照明器１１０の調光入力部１３０とには印加されなくなる。
【００６８】
したがって、有電圧である上流側リレー３１の出力側接点３１ａはＯＮ制御され、無電圧である下流側リレー３２の出力側接点３２ａはＯＮ制御が継続し、監視回路２０は閉回路となる。
【００６９】
そのため、閉回路となった監視回路２０により、ＬＥＤ照明器１１０に異常が生じたことを、監視回路２０に接続された上位の制御装置によって、照明システム１で確認することができる。
【００７０】
また、ＬＥＤ照明器１１０を備えた複数の道路照明装置１００を、配電線４０に対して並列配置しているため、複数のＬＥＤ照明器１１０のいずれかに異常が生じた場合であっても、ひとつの監視回路２０によって、いずれかのＬＥＤ照明器１１０に異常が発生したことを確認することができる。
【００７１】
さらに、上述したように、調光状態において異常が発生した場合、調光回路では、限流器３３の上流側に配置した上流側リレー３１にのみ調光電圧が印加され、限流器３３の下流側に配置した下流側リレー３２と、複数設置された道路照明装置１００のそれぞれの調光入力部１３０とには調光電圧は印加されなくなる。
【００７２】
つまり、調光電圧が調光線４３に印加されているにもかかわらず、調光入力部１３０に調光電圧が印加されなくなったＬＥＤ照明器１１０は、電源線４１及び共通線４２によって供給された電力によって全点灯状態で投光するため、異常が発生したＬＥＤ照明器１１０が点灯できないことによる照度の低下を、全点灯状態で点灯する他のＬＥＤ照明器１１０による照明によって補うことができる。
【００７３】
なお、ＬＥＤ素子を用いたＬＥＤ照明器１１０は、例えば、水銀灯やナトリウム灯に比べて圧倒的に寿命の長い、つまり、例えば、球切れによるランプ交換が不要であるという理由によって監視頻度が低いが、監視回路２０を用いて、例えば落雷による照明電源制御部１２０の故障等、偶発的な要因による異常の発生を監視し、現地での目視による点灯状態の確認を不要とすることにより、寿命の長いＬＥＤ照明器１１０の特長である保守省力化の効果を最大限に得ることができる。
【００７４】
また、仮に、既に布設された電源線４１、共通線４２及び調光線４３を利用することにより、ＬＥＤ照明器１１０の異常を監視するために、道路照明装置１００から管理室などの別の場所まで新たな線を布設する場合に比べて、設備設置に要するコスト並びに工期を大幅に低減することができる。
【００７５】
なお、上述の照明システム１における上流側リレー３１や下流側リレー３２を、図５において動作パターンを示す遅延動作型リレーで構成してもよい。  
具体的には、図５（ａ）に示すようなＯＦＦ接点状態からＯＮ制御される接点切替タイミングを、ＯＮ接点状態からＯＦＦ制御される接点切替タイミングより遅くなるように設定した遅延動作型リレーで上流側リレー３１及び下流側リレー３２を構成することにより、例えば、監視用ＯＮ／ＯＦＦ切替手段の切替タイミングのばらつきや、ＯＮ制御する際の接点の切替が繰り返されるチャタリングにより、図５（ｂ）に示すように、上流側リレー３１及び下流側リレー３２がともにＯＮ制御され、監視回路２０が不用意に閉回路となり、監視回路２０に接続された上位の制御装置が、照明システム１が異常であると誤認することを防止することができる。
【００７６】
詳述すると、ＬＥＤ照明器１１０の電源投入時において、ａ接点で構成する上流側リレー３１はＯＮ制御され、ｂ接点で構成する下流側リレー３２はＯＦＦ制御されるが、ＯＮ／ＯＦＦ切替手段の切替タイミングがばらつくことにより、下流側リレー３２がＯＦＦ制御される前に、上流側リレー３１はＯＮ制御されると、監視回路２０は閉回路となり、異常が発生した状態と同様の状態となり、異常の誤認となる。
【００７７】
逆に、点灯状態のＬＥＤ照明器１１０を消灯させる場合、ａ接点で構成した上流側リレー３１はＯＦＦ制御され、ｂ接点で構成した下流側リレー３２はＯＮ制御されるが、異常検知部１４０がＬＥＤ照明器１１０の消灯状態を検知して、異常検知部１４０の出力側接点１４２がＯＮ制御となり、調光線４３と共通線４２が短絡状態となることにより、上流側リレー３１がＯＦＦ制御される前に、下流側リレー３２はＯＮ制御されると、監視回路２０は閉回路となり、電源投入時と同様に、異常が発生した状態と同様の状態となり、異常の誤認となる。
【００７８】
さらには、上流側リレー３１の出力側接点３１ａ，下流側リレー３２の出力側接点３２ａが作動する際に、ＯＮとＯＦＦの切替を繰り返す不安定な状態が生じる、いわゆるチャタリングが起こるおそれがあるが、上流側リレー３１の出力側接点３１ａ及び下流側リレー３２の出力側接点３２ａの切替時にチャタリングが生じると、上流側リレー３１及び下流側リレー３２の両方が意図せず、ＯＮ制御となる可能性があり、その場合、監視回路２０は閉回路となり、電源投入時と同様に、異常が発生した状態と同様の状態となり、異常の誤認となる。
【００７９】
そこで、上流側リレー３１及び下流側リレー３２のうち少なくとも一方を、遅延動作型リレーで構成することにより、上流側リレー３１の出力側接点３１ａ及び下流側リレー３２の出力側接点３２ａのうち他方の出力側接点がＯＦＦ切替する前に、一方の出力側接点がＯＮ切替されることなく、上述したように、上流側リレー３１の出力側接点３１ａ，下流側リレー３２の出力側接点３２ａの両方が意図せず、ともにＯＮ制御となることによる異常の誤認を防止できる。
【００８０】
続いて、全点灯状態における異常発生を確認することができる照明システム１について、図６とともに説明する。  
図６に示す照明システム１は、上述の照明システム１に加えて、非調光低電圧を印加する非調光線４４が付加されるとともに、監視ユニット３０に入力側が共通線４２と非調光線４４とに接続され、上流側リレー３１と同様に、出力側接点３４ａが監視回路２０に組み込まれた第２上流側リレー３４と、下流側リレー３２と同様に、出力側接点３５ａが監視回路２０に組み込まれた第２下流側リレー３５と、非調光線４４において、第２上流側リレー３４と第２下流側リレー３５との間に配置された第２限流器３６が追加されている。  
なお、第２上流側リレー３４をａ接点リレーで構成し、第２下流側リレー３５をｂ接点リレーで構成している。
【００８１】
そして、上流側リレー３１の出力側接点３１ａと下流側リレー３２の出力側接点３２ａとを直列配置して監視回路２０の調光検出部分２０ａを構成するとともに、第２上流側リレー３４の出力側接点３４ａと第２下流側リレー３５の出力側接点３５ａを直列配置して監視回路２０の非調光検出部分２０ｂを構成し、さらに、調光検出部分２０ａと非調光検出部分２０ｂとを並列配置して監視回路２０を構成している。
【００８２】
また、非調光線４４は、調光線４３と接続されるとともに、電磁接触器で構成する非調光線用スイッチ４４ａを備えている。なお、調光線４３の調光用スイッチ４３ａと、非調光線４４の非調光線用スイッチ４４ａとはインターロック機構によって、
一方がＯＮ制御されている状態では他方はＯＦＦ制御されるように構成している。
【００８３】
また、非調光低電圧は、調光入力部１３０は作動しないが、第２上流側リレー３４及び第２下流側リレー３５が作動する低電圧であり、調光電圧を調光線４３に印加しない場合に、つまり、道路照明装置１００を調光しない全点灯状態で点灯させる場合に非調光線４４に印加するように設定している。
【００８４】
このように構成した照明システム１は、調光線４３に調光電圧を印加する場合、つまり道路照明装置１００を調光照明する場合は、上述の説明のように作動して、調光照明状態で道路照明装置１００が点灯したり、道路照明装置１００の異常を確認することができる。
【００８５】
これに対して、調光線４３に調光電圧を印加せずに道路照明装置１００を点灯する場合、つまり、道路照明装置１００を全点灯させる場合、非調光線４４の非調光線用スイッチ４４ａをＯＮ切替し、非調光線４４に非調光低電圧を印加するとともに、電源スイッチ４１ａ及び共通線用スイッチ４２ａをＯＮ切替して、電源線４１及び共通線４２に道路照明装置１００を照明するための照明電力を供給することで、照明電力は電源線４１及び共通線４２を介して照明電源制御部１２０に供給される。ここで、非調光線４４に印加された非調光低電圧は調光入力部１３０に印加するが、非調光低電圧は低電圧であるため、調光入力部１３０は作動せず、照明電源制御部１２０は、照明電力をＬＥＤ照明器１１０に供給して、道路照明装置１００は、ＬＥＤ照明器１１０から調光されていない明かりＬｆを投光することができる。
【００８６】
このように構成した照明システム１において、いずれかの道路照明装置１００に異常が生じていると、図６に示すように、当該道路照明装置１００の異常検知部１４０の出力側接点１４２がＯＮ制御され、共通線４２と非調光線４４とが短絡状態となり、印加された非調光低電圧は第２下流側リレー３５に加わらないため、有電圧である第２上流側リレー３４の出力側接点３４ａはＯＮ制御され、無電圧である第２下流側リレー３５の出力側接点３５ａはＯＮ制御されたままとなるため、監視回路２０は閉回路となり、監視回路２０に接続された上位の制御装置は、照明システム１が異常であることを確認することができる。
【００８７】
詳述すると、調光入力部１３０が作動する調光電圧と、調光入力部１３０が作動しない非調光低電圧とは電圧差が大きいため、動作電圧の範囲が狭い一般的なＯＮ／ＯＦＦ切替手段では対応できず、例えば、動作電圧の広い範囲に対応した専用設計されたＯＮ／ＯＦＦ切替手段を用いる必要があるが、上流側リレー３１，下流側リレー３２と、第２上流側リレー３４，第２下流側リレー３５とをそれぞれ設けたことにより、動作電圧の範囲が狭いが、汎用性の高い一般的なリレーを用いることができる。
【００８８】
なお、図７に示すように、非調光低電圧を、照明電力が印加される電源線４１と共通線４２とから生成してもよい。詳しくは、電源線４１と共通線４２との間に、非調光低電圧を生成する変圧器４６を配置し、非調光線４４と接続すればよい。
【００８９】
このように、電源線４１に、ＬＥＤ照明器１１０に対して供給する電力から非調光線４４に印加する非調光低電圧を生成する変圧器４６を備えた照明システム１は、上述の効果に加え、調光されない全点灯状態において、調光入力部１３０が作動せず、上流側リレー３１の出力側接点３１ａ，下流側リレー３２の出力側接点３２ａが作動して、監視回路２０によってＬＥＤ照明器１１０の異常を監視することができる非調光低電圧を、別の電源供給設備を設けることなく、供給することができる。
【００９０】
さらには、図８に示すように、電源線４１と共通線４２との間に、非調光低電圧を生成する変圧器４６を配置するとともに、非調光線４４を調光線４３における上流側リレー３１の上流側で接続するとともに、上流側リレー３１及び下流側リレー３２を、動作電圧の範囲の広いリレーで構成することで、調光入力部１３０が作動しない非調光低電圧を印加させる全点灯状態であっても、道路照明装置１００の異常を確認することができる。なお、動作電圧の範囲の広いリレーとして、上述のような遅延動作型リレーなどを用いてもよい。
【００９１】
また、第２上流側リレー３４及び第２下流側リレー３５を、遅延動作型リレーで構成する場合、例えば、チャタリングや、ＯＮ／ＯＦＦ切替手段の切替タイミングのばらつきにより、非調光検出部分２０ｂが不用意に閉回路となることによる異常の誤認を防止することができる。
【００９２】
また、図９に示すように、入力側を共通線４２と調光線４３に接続するとともに、出力側接点３７ａを非調光線４４における第２上流側リレー３４より上流側に配置した作動制御非調光用リレー３７と、入力側を共通線４２と調光線４３に接続するとともに、出力側接点３８ａを調光線４３における上流側リレー３１より上流側に配置した作動制御調光用リレー３８とを備え、さらには、作動制御非調光用リレー３７をｂ接点のリレーで構成するとともに、作動制御調光用リレー３８をａ接点のリレーで構成することにより、調光線４３に調光電圧を印加する場合は、非調光線４４に備えた出力側接点３７ａはＯＦＦ制御され、変圧器４６によって生成される非調光低電圧が非調光線４４に印加されることを防止し、調光線４３に調光電圧を印加しない場合に、出力側接点３７ａがＯＮ制御され、変圧器４６によって生成される非調光低電圧を非調光線４４に印加することができる。
【００９３】
さらにまた、作動制御非調光用リレー３７及び作動制御調光用リレー３８を、上述したような遅延動作型リレーで構成することで、出力側接点３７ａと出力側接点３８ａとのＯＮ／ＯＦＦ切替タイミングに時間差が生じ、非調光線４４への非調光低電圧の印加と、調光線４３への調光電圧の印加が同時に行われることを防止することができる。
【００９４】
また、この場合も、図１０に示すように、上流側リレー３１及び下流側リレー３２を、上述のような遅延動作型リレーなどの動作電圧の範囲の広いリレーを用いることで、調光入力部１３０が作動しない非調光低電圧を印加させる全点灯状態であっても、道路照明装置１００の異常を確認することができる。
【００９５】
また、図１１に示すように、ｂ接点で構成する上流側リレー３１を限流器３３の上流側に配置するとともに、ａ接点で構成する下流側リレー３２を限流器３３の下流側に配置し、ｂ接点で構成する上流側リレー３１の出力側接点３１ａと、ａ接点で構成する下流側リレー３２の出力側接点３２ａとを並列配置して監視回路２０に組み込み、監視回路２０が閉回路を構成している場合、監視回路２０に接続された上位の制御装置は、照明システム１が正常であることを確認するように構成してもよい。
【００９６】
詳述すると、図１２に示すように、無電圧である消灯時には、ｂ接点で構成する上流側リレー３１の出力側接点３１ａはＯＮ制御され、ａ接点で構成する下流側リレー３２の出力側接点３２ａはＯＦＦ制御されており、監視回路２０は閉回路となるため、監視回路２０に接続された上位の制御装置は、照明システム１が正常であると確認する。
【００９７】
また、正常点灯時の場合、ｂ接点で構成する上流側リレー３１の出力側接点３１ａはＯＦＦ制御され、ａ接点で構成する下流側リレー３２の出力側接点３２ａはＯＮ制御されており、監視回路２０は閉回路となるため、監視回路２０に接続された上位の制御装置は、照明システム１が正常であることを確認する。
【００９８】
しかしながら、異常が発生した場合、出力側接点３２ａ及び出力側接点３１ａはともにＯＦＦ制御され、監視回路２０は開放されるため、監視回路２０に接続された上位の制御装置は、照明システム１が異常であることを確認する。
【００９９】
この発明の構成と、上述の実施例との対応において、照明装置は、道路照明装置１００またはＬＥＤ照明器１１０に対応し、
以下同様に、
異常検知部の接点は、出力側接点１４２に対応し、
電流制限手段は、限流器３３，第２限流器３６に対応し、
上流側監視用ＯＮ／ＯＦＦ切替手段の接点は、出力側接点３１ａに対応し、
上流側監視用ＯＮ／ＯＦＦ切替手段は、上流側リレー３１に対応し、
下流側監視用ＯＮ／ＯＦＦ切替手段の接点は、出力側接点３２ａに対応し、
下流側監視用ＯＮ／ＯＦＦ切替手段は、下流側リレー３２に対応し、
時間差ＯＮ／ＯＦＦ切替手段は、遅延動作型リレーに対応し、
非調光低電圧生成手段は、変圧器４６に対応し、
調光用監視回路は、調光検出部分２０ａに対応し、
非調光用監視回路は、非調光検出部分２０ｂに対応し、
上流側非調光用ＯＮ／ＯＦＦ切替手段の接点は、出力側接点３４ａに対応し、
上流側非調光用ＯＮ／ＯＦＦ切替手段は、第２上流側リレー３４に対応し、
下流側非調光用ＯＮ／ＯＦＦ切替手段の接点は、出力側接点３５ａに対応し、
下流側非調光用ＯＮ／ＯＦＦ切替手段は、第２下流側リレー３５に対応するも、
この発明は、上述の実施形態の構成のみに限定されるものではなく、多くの実施の形態を得ることができる。
【０１００】
例えば、照明電力が供給されるとＬＥＤ素子が発光するＬＥＤ照明器１１０について説明したが、道路照明装置１００の照明部として、ナトリウム灯、水銀灯、蛍光灯などで構成してもよく、道路施設２００に設置された道路照明装置１００のみならず、トンネル内照明や街路灯などの室外に設置された照明装置や、ビルや倉庫などの室内に設置された室内照明装置としてもよい。なお、ナトリウム灯、水銀灯、蛍光灯などで照明部を構成する道路照明装置１００の場合、調光入力部１３０を接続して構成してもよい。
【０１０１】
また、電源線４１及び共通線４２，調光線４３、及び非調光線４４にそれぞれ、電源スイッチ４１ａ、共通線用スイッチ４２ａ、調光用スイッチ４３ａ、非調光線用スイッチ４４ａを備えたが、スイッチを設けずとも所定の電圧を各配線に印加してもよい。  
また、上流側リレー３１、下流側リレー３２、第２上流側リレー３４及び第２下流側リレー３５は、リレーのみならず、シーケンサを用いてもよい。
【０１０２】
また、上流側リレー３１の出力側接点３１ａと下流側リレー３２の出力側接点３２ａのＯＦＦ／ＯＮ切替タイミングに時間差を設ける時間差を有する遅延動作型リレー以外に、通常のリレーにおけるＯＦＦ制御状態からＯＮ切替する切替タイミングより、ＯＮ制御状態からＯＦＦ切替する切替タイミングを早めた促進動作型リレーや、通常のリレーにおけるＯＦＦ切替する切替タイミングより、ＯＮ切替する切替タイミングを遅らせるとともに、通常のリレーにおけるＯＮ切替する切替タイミングより、ＯＦＦ切替する切替タイミングを早めた遅延促進動作型リレーを上流側リレー３１及び下流側リレー３２に用いてもよい。
【０１０３】
なお、遅延動作型リレー、促進動作型リレーあるいは遅延促進動作型リレーは、所定の切替タイミングを設定したシーケンサや、抵抗・コンデンサ・トランジスタ・集積回路等で構成する電子回路などを用いてもよい。
【０１０４】
さらにまた、遅延動作型リレーを用いる代わりに、上流側リレー３１の出力側接点３１ａ，下流側リレー３２の出力側接点３２ａの両方が一定時間ＯＮ制御し続けたことをもって異常として判定するように構成してもよい。
【符号の説明】
【０１０５】
１…照明システム
２０…監視回路
２０ａ…調光検出部分
２０ｂ…非調光検出部分
３１…上流側リレー
３２…下流側リレー
３４…第２上流側リレー
３５…第２下流側リレー
３１ａ，３２ａ，３４ａ，３５ａ…出力側接点
３３…限流器
３６…第２限流器
４１…電源線
４２…共通線
４３…調光線
４４…非調光線
４６…変圧器
１００…道路照明装置
１１０…ＬＥＤ照明器
１３０…調光入力部
１４０…異常検知部
１４２…出力側接点
【図１】
2015095377.tif 000003
【図２】
2015095377.tif 000004
【図３】
2015095377.tif 000005
【図４】
2015095377.tif 000006
【図５】
2015095377.tif 000007
【図６】
2015095377.tif 000008
【図７】
2015095377.tif 000009
【図８】
2015095377.tif 000010
【図９】
2015095377.tif 000011
【図１０】
2015095377.tif 000012
【図１１】
2015095377.tif 000013
【図１２】
2015095377.tif 000014